【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
通信の方法であって、
近隣認識ネットワーク（ＮＡＮ）の第１の電子デバイスにおいて複数の論理チャネルのうちの論理チャネルを選択することと、前記論理チャネルは、複数の通信チャネルのうちの特定の通信チャネルを示し、複数の送信時間枠のうちの送信時間枠のセットを示す、
前記第１の電子デバイスが前記ＮＡＮの他の電子デバイスと通信するために利用可能であることを示し、前記論理チャネルを特定するメッセージを生成することと、ここにおいて、前記メッセージが、
前記特定の通信チャネルを示し、送信時間枠の前記セットを特定する１つまたは複数の時間ブロックインデックスを含むチャネル識別子と、
前記ＮＡＮの第１のデータリンクグループを特定する第１のデータリンク属性と、
前記第１のデータリンクグループを介して前記第１の電子デバイスによって提供されるサービスを特定する第１のサービス属性と、前記第１のサービス属性が、前記第１のデータリンク属性を特定するインジケータを含み、前記インジケータが、ビットマップにおける特定の値の位置に基づいて前記第１のデータリンク属性を特定する前記ビットマップを備える、
を含む、
前記ＮＡＮの第２の電子デバイスに前記メッセージを送信することと
を備える、方法。
【請求項２】
送信時間枠の前記セットの各送信時間枠が、発見時間枠からのオフセットである時間ブロックを備え、前記複数の論理チャネルのうちの第２の論理チャネルが、前記特定の通信チャネルを示し、前記複数の送信時間枠のうちの送信時間枠の第２のセットを示す、請求項１に記載の方法。
【請求項３】
前記メッセージが前記複数の論理チャネルのうちの多数の論理チャネルを特定し、前記多数の論理チャネルが前記論理チャネルを含み、前記多数の論理チャネルの各々の特定の論理チャネルに対して、前記メッセージが前記特定の論理チャネルに対応する通信チャネルのチャネル識別子を含む、請求項１に記載の方法。
【請求項４】
前記メッセージが、前記第１の電子デバイスから利用可能な前記サービスを示すサービス告知を含み、前記サービスが、前記選択された論理チャネルを使用して提供される、請求項１に記載の方法。
【請求項５】
ビーコンメッセージまたはサービス発見メッセージを生成することをさらに備え、前記メッセージが、前記ビーコンメッセージまたは前記サービス発見メッセージに含まれ、前記メッセージを送信することが、第１の通信チャネルの発見時間枠の間、前記ビーコンメッセージまたは前記サービス発見メッセージを前記第２の電子デバイスに送信することを備える、請求項１に記載の方法。
【請求項６】
前記メッセージが第１の通信チャネルの第１の発見時間枠の間に送信され、発見期間が前記第１の発見時間枠の最後と第２の発見時間枠の最初の間の持続時間を備え、前記発見期間が前記複数の送信時間枠を含み、前記複数の送信時間枠のうちの第１の送信時間枠が前記第１の発見時間枠の前記最後からの第１のオフセットを有し、前記複数の送信時間枠のうちの第２の送信時間枠が前記第１の発見時間枠の前記最後からの第２のオフセットを有する、請求項１に記載の方法。
【請求項７】
前記メッセージが第１の通信チャネルの第１の発見時間枠の間に送信され、発見期間が前記第１の発見時間枠の最後と第２の発見時間枠の最初の間の持続時間を備え、前記発見期間が複数の時間ブロックを備え、前記複数の時間ブロックの各時間ブロックが同じ第２の持続時間を有し、前記複数の論理チャネルのうちの特定の論理チャネルが前記発見期間の間に複数回発生する、請求項１に記載の方法。
【請求項８】
送信時間枠の前記セットの特定の送信時間枠が前記複数の時間ブロックのうちの時間ブロックに対応し、前記１つまたは複数の時間ブロックインデックスのうちの特定の時間ブロックインデックスが前記特定の送信時間枠の前記時間ブロックを特定する、請求項７に記載の方法。
【請求項９】
前記特定の時間ブロックインデックスが、複数の時間ブロックインデックスの木表現のノードに対応する、請求項８に記載の方法。
【請求項１０】
前記木表現が、前記複数の時間ブロックインデックスのバイナリ木表現を備える、請求項９に記載の方法。
【請求項１１】
前記メッセージが前記１つまたは複数の時間ブロックインデックスを含む複数の時間ブロックインデックスを含み、前記複数の時間ブロックインデックスのうちの第１のインデックスが複数の時間ブロックのうちの第１の時間ブロックを特定し、前記複数の時間ブロックインデックスのうちの第２のインデックスが前記複数の時間ブロックの連続する時間ブロックのセットを特定する、請求項１に記載の方法。
【請求項１２】
別の電子デバイスが前記ＮＡＮのデータリンクグループに参加したことに応答して、前記複数の時間ブロックのうちの前記第１の時間ブロックを示し、第２の時間ブロックを示すように、前記複数の時間ブロックインデックスのうちの前記第１のインデックスを更新することをさらに備える、請求項１１に記載の方法。
【請求項１３】
前記メッセージが発見時間枠の間に前記ＮＡＮの前記第２の電子デバイスおよび第３の電子デバイスに送信され、前記第２の電子デバイスおよび前記第３の電子デバイスが前記ＮＡＮのデータリンクグループに含まれ、前記方法は、
第１の時間ブロックの間に、第１のデータを前記第２の電子デバイスに送信することと、
第２の時間ブロックの間に、第２のデータを前記第３の電子デバイスに送信することと、
第３の時間ブロックの間に、第３のデータを前記第２の電子デバイスおよび前記第３の電子デバイスに送信することと
をさらに備える、請求項１に記載の方法。
【請求項１４】
発見時間枠の間に第１の通信チャネルを介して前記第２の電子デバイスから加入メッセージを受信することと、前記第１の通信チャネルは前記特定の通信チャネルと異なる、
送信時間枠の前記セットのうちの特定の送信時間枠のページング時間枠の間に前記特定の通信チャネルを監視することと
をさらに備え、前記特定の送信時間枠が前記ページング時間枠とデータ時間枠とを含み、前記ページング時間枠が前記特定の送信時間枠の最初の部分を備え、前記データ時間枠が前記特定の送信時間枠の最後の部分を備える、請求項１に記載の方法。
【請求項１５】
複数の論理チャネルのうちの論理チャネルを選択し、前記論理チャネルは、複数の通信チャネルのうちの特定の通信チャネルを示し、複数の送信時間枠のうちの送信時間枠のセットを示す、
近隣認識ネットワーク（ＮＡＮ）の他の電子デバイスと通信するための、前記ＮＡＮの第１の電子デバイスの利用可能性を示し、前記論理チャネルを特定するメッセージを生成する、ここにおいて、前記メッセージが、
前記特定の通信チャネルを示し、送信時間枠の前記セットを特定する１つまたは複数の時間ブロックインデックスを含むチャネル識別子と、
前記ＮＡＮの第１のデータリンクグループを特定する第１のデータリンク属性と、
前記第１のデータリンクグループを介して前記第１の電子デバイスによって提供されるサービスを特定する第１のサービス属性と、前記第１のサービス属性が、前記第１のデータリンク属性を特定するインジケータを含み、前記インジケータが、ビットマップにおける特定の値の位置に基づいて前記第１のデータリンク属性を特定する前記ビットマップを備える、
を含む、
ように構成されるプロセッサと、
前記ＮＡＮの第２の電子デバイスに前記メッセージをワイヤレスに送信するように構成される送信機と
を備える、装置。
【請求項１６】
前記プロセッサがさらに、発見時間枠の間に第１の通信チャネルを監視するように構成され、前記第２の電子デバイスから加入メッセージを受信するように構成される受信機をさらに備え、前記加入メッセージが、前記第２の電子デバイスが通信に関心を示していることを示す、請求項１５に記載の装置。
【請求項１７】
前記送信機がさらに、第２の発見時間枠の間に第２のメッセージを送信するように構成され、特定の論理チャネルがネゴシエート可能であることを前記第２のメッセージが示し、前記装置は、前記第２の発見時間枠の終了後に前記第２の電子デバイスからネゴシエーションメッセージまたは接続要求を受信するように構成される受信機をさらに備え、前記プロセッサがさらに、前記ネゴシエーションメッセージまたは前記接続要求に一部基づいて、ネゴシエートされた論理チャネルを決定するように構成される、請求項１５に記載の装置。
【請求項１８】
前記送信機がさらに、送信時間枠の前記セットのうちの特定の送信時間枠の間に前記特定の通信チャネルを介してデータを送信するように構成される、請求項１５に記載の装置。
【請求項１９】
前記プロセッサがさらに、同期ビーコンに基づいて、発見時間枠の間に前記第１の電子デバイスの第１のクロックを前記第２の電子デバイスの第２のクロックと同期するように構成される、請求項１５に記載の装置。
【請求項２０】
前記第１のサービス属性が、前記サービスを特定するサービス識別子を含み、前記第１のサービス属性が、前記サービスの第１のインスタンスを特定する第１のインスタンス識別子を含む、請求項１５に記載の装置。
【請求項２１】
前記メッセージがさらに、前記サービスを特定する第２のサービス属性を含み、前記第２のサービス属性が、前記サービス識別子を含み、前記サービスの第２のインスタンスを特定する第２のインスタンス識別子を含み、前記第２のサービス属性が、前記第１のデータリンク属性を特定する第２のインジケータを含む、請求項２０に記載の装置。
【請求項２２】
前記メッセージがさらに、前記ＮＡＮの第２のデータリンクグループを特定する第２のデータリンク属性を含み、前記メッセージが、第２のサービスを特定する第３のサービス属性を含み、前記第３のサービス属性が、前記第２のデータリンク属性を特定する第３のインジケータを含む、請求項２０に記載の装置。
【請求項２３】
前記第１のデータリンク属性が、前記サービスを提供するために前記第１の電子デバイスによって使用される前記論理チャネルを特定し、前記サービスが、前記論理チャネルによって示される送信時間枠の前記セットのうちの特定の送信時間枠の間に前記第１の電子デバイスによって提供される、請求項１５に記載の装置。
【請求項２４】
前記メッセージがさらに、前記複数の論理チャネルのうちの第２の論理チャネルを示し、前記第２の論理チャネルが、前記複数の通信チャネルのうちの第２の通信チャネルと、送信時間枠の第２のセットのうちの第２の送信時間枠とを示し、前記送信機がさらに、
送信時間枠の前記セットのうちの第１の送信時間枠の間に、前記特定の通信チャネルを介してデータを前記第２の電子デバイスに送信し、
送信時間枠の前記第２のセットのうちの前記第２の送信時間枠の間に、前記第２の通信チャネルを介して第２のデータを前記第２の電子デバイスに送信するように構成され、前記第１の送信時間枠が前記第２の送信時間枠と少なくとも部分的に重複する、請求項１５に記載の装置。
【請求項２５】
命令を記憶するコンピュータ可読記憶デバイスであって、前記命令が、プロセッサによって実行されると、前記プロセッサに、
近隣認識ネットワーク（ＮＡＮ）の他の電子デバイスと通信するための、前記ＮＡＮの第１の電子デバイスの利用可能性を示し、複数の論理チャネルのうちの論理チャネルを特定するメッセージを生成することと、前記論理チャネルは、複数の通信チャネルのうちの特定の通信チャネルを示し、複数の送信時間枠のうちの送信時間枠のセットを示し、ここにおいて、前記メッセージが、
前記特定の通信チャネルを示し、送信時間枠の前記セットを特定する１つまたは複数の時間ブロックインデックスを含むチャネル識別子と、
前記ＮＡＮの第１のデータリンクグループを特定する第１のデータリンク属性と、
前記第１のデータリンクグループを介して前記第１の電子デバイスによって提供されるサービスを特定する第１のサービス属性と、前記第１のサービス属性が、前記第１のデータリンク属性を特定するインジケータを含み、前記インジケータが、ビットマップにおける特定の値の位置に基づいて前記第１のデータリンク属性を特定する前記ビットマップを備える、
を含む、
前記ＮＡＮの第２の電子デバイスへの前記メッセージのワイヤレス送信を開始することと
を備える動作を実行させる、コンピュータ可読記憶デバイス。
【請求項２６】
前記動作がさらに、前記第２の電子デバイスとの能力の交換の実行を開始することを備え、前記第１の電子デバイスによって前記能力の交換を実行することが、第１の能力メッセージを前記第２の電子デバイスに送信して第２の能力メッセージを前記第２の電子デバイスから受信すること、プローブ要求を前記第２の電子デバイスに送信してプローブ応答を前記第２の電子デバイスから受信すること、または、接続要求を前記第２の電子デバイスに送信して接続応答を前記第２の電子デバイスから受信することを含む、請求項２５に記載のコンピュータ可読記憶デバイス。
【請求項２７】
近隣認識ネットワーク（ＮＡＮ）の他の電子デバイスと通信するための、前記ＮＡＮの第１の電子デバイスの利用可能性を示し、複数の論理チャネルのうちの論理チャネルを特定するメッセージを生成するための手段と、前記論理チャネルは、複数の通信チャネルのうちの特定の通信チャネルを示し、複数の送信時間枠のうちの送信時間枠のセットを示し、ここにおいて、前記メッセージが、
前記特定の通信チャネルを示し、送信時間枠の前記セットを特定する１つまたは複数の時間ブロックインデックスを含むチャネル識別子と、
前記ＮＡＮの第１のデータリンクグループを特定する第１のデータリンク属性と、
前記第１のデータリンクグループを介して前記第１の電子デバイスによって提供されるサービスを特定する第１のサービス属性と、前記第１のサービス属性が、前記第１のデータリンク属性を特定するインジケータを含み、前記インジケータが、ビットマップにおける特定の値の位置に基づいて前記第１のデータリンク属性を特定する前記ビットマップを備える、
を含む、
前記ＮＡＮの第２の電子デバイスに前記メッセージを送信するための手段と
を備える、装置。
【請求項２８】
前記メッセージが第１の通信チャネルの発見時間枠の間に送信され、前記装置が、
前記発見時間枠の後で前記第２の電子デバイスからネゴシエーションメッセージを受信するための手段と、
前記ネゴシエーションメッセージに一部基づいて、ネゴシエートされた論理チャネルを決定するための手段と
をさらに備える、請求項２７に記載の装置。
【手続補正２】
【補正対象書類名】明細書
【補正対象項目名】０３３５
【補正方法】変更
【補正の内容】
【０３３５】
[0349]開示された態様のこれまでの説明は、当業者が開示された態様を作成または使用することを可能にするために提供される。これらの態様への様々な修正は当業者には容易に明らかになり、本明細書で定義された原理は、本開示の範囲から逸脱することなく他の態様に適用され得る。したがって、本開示は、本明細書に示された態様に限定されるものではなく、以下の特許請求の範囲によって定義される原理および新規の特徴に一致する可能な最も広い範囲を与えられるべきである。
以下に本願の出願当初の特許請求の範囲に記載された発明を付記する。
［Ｃ１］
通信の方法であって、
近隣認識ネットワーク（ＮＡＮ）の第１の電子デバイスにおいて複数の論理チャネルのうちの論理チャネルを選択することと、前記論理チャネルは、複数の通信チャネルのうちの特定の通信チャネルを示し、複数の送信時間枠のうちの送信時間枠のセットを示す、
前記第１の電子デバイスが前記ＮＡＮの他の電子デバイスと通信するために利用可能であることを示し、前記論理チャネルを特定するメッセージを生成することと、
前記ＮＡＮの第２の電子デバイスに前記メッセージを送信することとを備える、方法。
［Ｃ２］
前記複数の論理チャネルのうちの第２の論理チャネルが、前記特定の通信チャネルを示し、前記複数の送信時間枠のうちの送信時間枠の第２のセットを示す、Ｃ１に記載の方法。
［Ｃ３］
前記メッセージが前記複数の論理チャネルのうちの多数の論理チャネルを特定し、前記多数の論理チャネルが前記論理チャネルを含み、前記多数の論理チャネルの各々の特定の論理チャネルに対して、前記メッセージが前記特定の論理チャネルに対応する通信チャネルのチャネル識別子を含む、Ｃ１に記載の方法。
［Ｃ４］
前記メッセージが、前記第１の電子デバイスから利用可能なサービスを示すサービス告知を含み、前記サービスが、対応する論理チャネルを使用して提供される、Ｃ１に記載の方法。
［Ｃ５］
ビーコンメッセージまたはサービス発見メッセージを生成することをさらに備え、前記メッセージが、前記ビーコンメッセージまたは前記サービス発見メッセージに含まれ、前記メッセージを送信することが、第１の通信チャネルの発見時間枠の間、前記ビーコンメッセージまたは前記サービス発見メッセージを前記第２の電子デバイスに送信することを備える、Ｃ１に記載の方法。
［Ｃ６］
前記メッセージが第１の通信チャネルの第１の発見時間枠の間に送信され、発見期間が前記第１の発見時間枠の最後と第２の発見時間枠の最初の間の持続時間を備え、前記発見期間が前記複数の送信時間枠を含み、前記複数の送信時間枠のうちの第１の送信時間枠が前記第１の発見時間枠の前記最後からの第１のオフセットを有し、前記複数の送信時間枠のうちの第２の送信時間枠が前記第１の発見時間枠の前記最後からの第２のオフセットを有する、Ｃ１に記載の方法。
［Ｃ７］
前記メッセージが第１の通信チャネルの第１の発見時間枠の間に送信され、発見期間が前記第１の発見時間枠の最後と第２の発見時間枠の最初の間の持続時間を備え、前記発見期間が複数の時間ブロックを備え、前記複数の時間ブロックの各時間ブロックが同じ第２の持続時間を有し、前記複数の論理チャネルのうちの特定の論理チャネルが前記発見期間の間に複数回発生する、Ｃ１に記載の方法。
［Ｃ８］
送信時間枠の前記セットの特定の送信時間枠が前記複数の時間ブロックのうちの時間ブロックに対応し、前記メッセージが前記第１の通信チャネルを示すチャネル識別子を含み、前記メッセージがさらに前記時間ブロックを示す時間ブロックインデックスを含む、Ｃ７に記載の方法。
［Ｃ９］
前記時間ブロックインデックスが、複数の時間ブロックインデックスの木表現のノードに対応する、Ｃ８に記載の方法。
［Ｃ１０］
前記木表現が、前記複数の時間ブロックインデックスのバイナリ木表現を備える、Ｃ９に記載の方法。
［Ｃ１１］
前記メッセージが複数の時間ブロックインデックスを含み、前記複数の時間ブロックインデックスのうちの第１のインデックスが複数の時間ブロックのうちの第１の時間ブロックを特定し、前記複数の時間ブロックインデックスのうちの第２のインデックスが前記複数の時間ブロックの連続する時間ブロックのセットを示す、Ｃ１に記載の方法。
［Ｃ１２］
別の電子デバイスが前記ＮＡＮのデータリンクグループに参加したことに応答して、前記複数の時間ブロックのうちの前記第１の時間ブロックを示し、第２の時間ブロックを示すように、前記複数の時間ブロックインデックスのうちの前記第１のインデックスを更新することをさらに備える、Ｃ１１に記載の方法。
［Ｃ１３］
前記メッセージが発見時間枠の間に前記ＮＡＮの前記第２の電子デバイスおよび第３の電子デバイスに送信され、前記第２の電子デバイスおよび前記第３の電子デバイスが前記ＮＡＮのデータリンクグループに含まれ、前記方法は、
第１の時間ブロックの間に、第１のデータを前記第２の電子デバイスに送信することと、
第２の時間ブロックの間に、第２のデータを前記第３の電子デバイスに送信することと、
第３の時間ブロックの間に、第３のデータを前記第２の電子デバイスおよび前記第３の電子デバイスに送信することとをさらに備える、Ｃ１に記載の方法。
［Ｃ１４］
発見時間枠の間に第１の通信チャネルを介して前記第２の電子デバイスから加入メッセージを受信することと、前記第１の通信チャネルは前記特定の通信チャネルと異なる、
送信時間枠の前記セットのうちの特定の送信時間枠のページング時間枠の間に前記特定の通信チャネルを監視することとをさらに備え、前記特定の送信時間枠が前記ページング時間枠とデータ時間枠とを含み、前記ページング時間枠が前記特定の送信時間枠の最初の部分を備え、前記データ時間枠が前記特定の送信時間枠の最後の部分を備える、Ｃ１に記載の方法。
［Ｃ１５］
複数の論理チャネルのうちの論理チャネルを選択し、前記論理チャネルは、複数の通信チャネルのうちの特定の通信チャネルを示し、複数の送信時間枠のうちの送信時間枠のセットを示す、
近隣認識ネットワーク（ＮＡＮ）の他の電子デバイスと通信するための、前記ＮＡＮの第１の電子デバイスの利用可能性を示し、前記論理チャネルを特定するメッセージを生成する、
ように構成されるプロセッサと、
前記ＮＡＮの第２の電子デバイスに前記メッセージをワイヤレスに送信するように構成される送信機とを備える、装置。
［Ｃ１６］
前記プロセッサがさらに、発見時間枠の間に第１の通信チャネルを監視するように構成され、前記第２の電子デバイスから加入メッセージを受信するように構成される受信機をさらに備え、前記加入メッセージが、前記第２の電子デバイスが通信に関心を示していることを示す、Ｃ１５に記載の装置。
［Ｃ１７］
前記送信機がさらに、第２の発見時間枠の間に第２のメッセージを送信するように構成され、特定の論理チャネルがネゴシエート可能であることを前記第２のメッセージが示し、前記装置は、前記第２の発見時間枠の終了後に前記第２の電子デバイスからネゴシエーションメッセージまたは接続要求を受信するように構成される受信機をさらに備え、前記プロセッサがさらに、前記ネゴシエーションメッセージまたは前記接続要求に一部基づいて、ネゴシエートされた論理チャネルを決定するように構成される、Ｃ１５に記載の装置。
［Ｃ１８］
前記送信機がさらに、送信時間枠の前記セットのうちの特定の送信時間枠の間に前記特定の通信チャネルを介してデータを送信するように構成される、Ｃ１５に記載の装置。
［Ｃ１９］
前記プロセッサがさらに、同期ビーコンに基づいて、発見時間枠の間に前記第１の電子デバイスの第１のクロックを前記第２の電子デバイスの第２のクロックと同期するように構成される、Ｃ１５に記載の装置。
［Ｃ２０］
前記メッセージが、前記ＮＡＮの第１のデータリンクグループを特定する第１のデータリンク属性を含み、前記メッセージが、前記第１のデータリンクグループを介して前記第１の電子デバイスによって提供されるサービスを特定する第１のサービス属性を含み、前記第１のサービス属性が、前記第１のデータリンク属性を特定するインジケータを含む、Ｃ１５に記載の装置。
［Ｃ２１］
前記第１のサービス属性が、前記サービスを特定するサービス識別子を含み、前記第１のサービス属性が、前記サービスの第１のインスタンスを特定する第１のインスタンス識別子を含む、Ｃ２０に記載の装置。
［Ｃ２２］
前記メッセージがさらに、前記サービスを特定する第２のサービス属性を含み、前記第２のサービス属性が、前記サービス識別子を含み、前記サービスの第２のインスタンスを特定する第２のインスタンス識別子を含み、前記第２のサービス属性が、前記第１のデータリンク属性を特定する第２のインジケータを含む、Ｃ２１に記載の装置。
［Ｃ２３］
前記メッセージがさらに、前記ＮＡＮの第２のデータリンクグループを特定する第２のデータリンク属性を含み、前記メッセージが、第２のサービスを特定する第３のサービス属性を含み、前記第３のサービス属性が、前記第２のデータリンク属性を特定する第３のインジケータを含む、Ｃ２１に記載の装置。
［Ｃ２４］
前記インジケータが、ビットマップにおける特定の値の位置に基づいて前記第１のデータリンク属性を特定する、前記ビットマップを備える、Ｃ２０に記載の装置。
［Ｃ２５］
前記第１のデータリンク属性が、前記サービスを提供するために前記第１の電子デバイスによって使用される前記論理チャネルを特定し、前記サービスが、前記論理チャネルによって示される送信時間枠の前記セットのうちの特定の送信時間枠の間に前記第１の電子デバイスによって提供される、Ｃ２０に記載の装置。
［Ｃ２６］
前記メッセージがさらに、前記複数の論理チャネルのうちの第２の論理チャネルを示し、前記第２の論理チャネルが、前記複数の通信チャネルのうちの第２の通信チャネルと、送信時間枠の第２のセットのうちの第２の送信時間枠とを示し、前記送信機がさらに、
送信時間枠の前記セットのうちの第１の送信時間枠の間に、前記特定の通信チャネルを介してデータを前記第２の電子デバイスに送信し、
送信時間枠の前記第２のセットのうちの前記第２の送信時間枠の間に、前記第２の通信チャネルを介して第２のデータを前記第２の電子デバイスに送信するように構成され、前記第１の送信時間枠が前記第２の送信時間枠と少なくとも部分的に重複する、Ｃ１５に記載の装置。
［Ｃ２７］
命令を記憶するコンピュータ可読記憶デバイスであって、前記命令が、プロセッサによって実行されると、前記プロセッサに、
近隣認識ネットワーク（ＮＡＮ）の他の電子デバイスと通信するための、前記ＮＡＮの第１の電子デバイスの利用可能性を示し、複数の論理チャネルのうちの論理チャネルを特定するメッセージを生成することと、前記論理チャネルは、複数の通信チャネルのうちの特定の通信チャネルを示し、複数の送信時間枠のうちの送信時間枠のセットを示す、
前記ＮＡＮの第２の電子デバイスへの前記メッセージのワイヤレス送信を開始することと
を備える動作を実行させる、コンピュータ可読記憶デバイス。
［Ｃ２８］
前記動作がさらに、前記第２の電子デバイスとの能力の交換の実行を開始することを備え、前記第１の電子デバイスによって前記能力の交換を実行することが、第１の能力メッセージを前記第２の電子デバイスに送信して第２の能力メッセージを前記第２の電子デバイスから受信すること、プローブ要求を前記第２の電子デバイスに送信してプローブ応答を前記第２の電子デバイスから受信すること、または、接続要求を前記第２の電子デバイスに送信して接続応答を前記第２の電子デバイスから受信することを含む、Ｃ２７に記載のコンピュータ可読記憶デバイス。
［Ｃ２９］
近隣認識ネットワーク（ＮＡＮ）の他の電子デバイスと通信するための、前記ＮＡＮの第１の電子デバイスの利用可能性を示し、複数の論理チャネルのうちの論理チャネルを特定するメッセージを生成するための手段と、前記論理チャネルは、複数の通信チャネルのうちの特定の通信チャネルを示し、複数の送信時間枠のうちの送信時間枠のセットを示す、
前記ＮＡＮの第２の電子デバイスに前記メッセージを送信するための手段とを備える、装置。
［Ｃ３０］
前記メッセージが第１の通信チャネルの発見時間枠の間に送信され、前記装置が、
前記発見時間枠の後で前記第２の電子デバイスからネゴシエーションメッセージを受信するための手段と、
前記ネゴシエーションメッセージに一部基づいて、ネゴシエートされた論理チャネルを決定するための手段をさらに備える、Ｃ２９に記載の装置。